(57)【要約】      （修正有）【課題】貯水タンクの内部に雨水流入用の容積を確保し、緊急時とか、散水に有効な水量を確保するとともに、集塵効果を発揮することができる貯水タンクを提供する。【解決手段】貯水タンク１は、収れん形態の貯水タンク上面に設けた固定蓋２・開閉蓋５と、底部中心に設けた排出口と、排出口の底部外側に設けた逆Ｕ字形のサイフォン管１０と、で構成し、サイフォン管１０の頂点管部を、貯水タンク１の上面と面一に設け、サイフォン管１０を、貯水タンク１の外側に設け、貯水タンク１内部を空の状態とすることで、雨水流入用の容積確保を図り、緊急時・散水に有効な水量を確保できる。サイフォン管１０の取付け位置を、底部中心の排出口に設け、集塵効果を発揮できる。【選択図】図１
0003198374.tif 000002
【実用新案登録請求の範囲】
【請求項１】
収れん形態の貯水タンクと、この貯水タンクの上面に設けた固定蓋と、上面を開閉する蛇腹形態の開閉蓋と、収れん底部の中心に設けた排出口と、この排出口の底部外側に設けた逆Ｕ字形のサイフォン管と、で構成した貯水タンクにおいて、
このサイフォン管の頂点管部を、前記貯水タンクの上面と面一に設けるとともに、前記サイフォン管を、この貯水タンクの外側に設けることを特徴とした貯水タンク。
【請求項２】
前記サイフォン管は、前記貯水タンクの底部外側に設けた水平管部と、この水平管部よりこの貯水タンクの上面より上に設けた本体管部と、当該貯水タンクの底部外側の下面に設けた開口管部と、で構成した請求項１に記載の貯水タンク。
【請求項３】
前記サイフォン管は、その全部を、前記貯水タンクの外側に設ける構成とした請求項１又は２に記載の貯水タンク。
【請求項４】
前記サイフォン管の頂点管部に、外気を取込む細孔を開設する構成とした請求項１に記載の貯水タンク。
【請求項５】
前記サイフォン管の開口管部は、塵用副タンクと連繋する構成とした請求項２に記載の貯水タンク。
【請求項６】
前記固定蓋に蝶番で取付けた前記開閉蓋は、折畳み式か、巻取り式とし、コンパクトに収容可能とした請求項１に記載の貯水タンク。
【請求項７】
請求項１乃至６のいずれか一項に記載の貯水タンク用のバケツであって、
前記開閉蓋の開放で形成された隙間に、挿入され、
開口部が、扁平形状に形成される貯水タンク用のバケツ。
【考案の詳細な説明】
【技術分野】
【０００１】
本考案は、雨水を貯水かつ濾過する貯水タンクと、この貯水タンク用のバケツに関する。
【背景技術】
【０００２】
周知の如く、貯水タンクは、散水、給水用の水を貯留する雨水用として重宝されている。従って、コスト面、再利用等の見地から、種々の形状、並びに大きさの構造が市販されており、また、簡易的にドラム缶を利用する。本出願人も、特開２００６−２８９５４号公報に記載の「雨水濾過貯水装置」を提案する。この発明は、タンクと、このタンクの外側に付設したサイフォン管とでなり、タンクで生成された清澄水を取出す底部に設けたコック付き蛇口を備えた構造である。構造が簡単で、清澄水を生成できる。しかし、蛇口を底部に設けたことから、塵と清澄水との分離が十分でなく、改良の余地が考えられる。
【０００３】
関連する文献として、特開平４−４４５３４号公報の「雨水用貯水槽」がある。この発明は、貯水槽内に陥没し、かつ貯水槽の外側に位置する逆Ｕ字形状のサイフォン管と、雨水導入路とでなり、内部に濾過器を備えた組立て式の貯水槽である。この発明は、サイフォン管を貯水槽に陥没するとともに、サイフォン管の頂点管部が、貯水槽の天板下にある構造であり、容量が少なくなること、及びサイフォン管が、貯水槽の内周面壁に設けられた構造であり、集塵効果が期待できないと考えられる。
【０００４】
尚、貯水タンク（貯水槽）の清澄水を掬う器具で、汎用化されているバケツを改良した文献が挙げられる。例えば、実開昭５０−３９０９９号公報の「防火用バケツ」がある。この考案は、注ぎ口（注水口）を設けたバケツであって、全体の外形寸法（大きさ）は、規格品のバケツ寸法である。この規格品のバケツでは、貯水タンクで、上面の蓋を、略半分のみ開口（開放）する構造では、開口された隙間（開口部）に挿入することが困難である。従って、一段下のバケツを使用することとなり、水量不足と、緊急時の迅速な対応ができない等の改良点が挙げられる。
【先行技術文献】
【特許文献】
【０００５】
【特許文献１】特開２００６−２８９５４号公報
【特許文献２】特開平４−４４５３４号公報
【特許文献３】実開昭５０−３９０９９号公報
【考案の概要】
【考案が解決しようとする課題】
【０００６】
前述したような課題を抱えていることから、本考案は、この課題を解決することを意図しており、例えば、小型の貯水タンクであっても、十分な水量を確保するために、貯水タンクの内部には、一切の付帯設備を無くす構造とする。例えば、サイフォン管を、貯水タンクの外に設けること、サイフォン管の頂点部分を、貯水タンクの上面より上に設けること、等により、この貯水タンクの内部に雨水の流入できる空間（容積）を確保する。また、集塵効果を発揮するために、排水口を、貯水タンクの中心に開設し、この排水口にサイフォン管を付設する構造とする。
【０００７】
貯水タンクの内部に雨水流入用の容積を確保し、緊急時とか、散水に有効な水量を確保するとともに、集塵効果を発揮することを目的とする。
【課題を解決するための手段】
【０００８】
上述の目的を達成するために、本考案の第１の観点に係る貯水タンクは、
収れん形態の貯水タンクと、この貯水タンクの上面に設けた固定蓋と、上面を開閉する蛇腹形態の開閉蓋と、収れん底部の中心に設けた排出口と、この排出口の底部外側に設けた逆Ｕ字形のサイフォン管と、で構成した貯水タンクにおいて、
このサイフォン管の頂点管部を、前記貯水タンクの上面と面一に設けるとともに、前記サイフォン管を、この貯水タンクの外側に設けることを特徴とした。
【０００９】
前記サイフォン管は、前記貯水タンクの底部外側に設けた水平管部と、この水平管部よりこの貯水タンクの上面より上に設けた本体管部と、当該貯水タンクの底部外側の下面に設けた開口管部と、で構成してもよい。
【００１０】
前記サイフォン管は、その全部を、前記貯水タンクの外側に設ける構成としてもよい。
【００１１】
前記サイフォン管の頂点管部に、外気を取込む細孔を開設する構成としてもよい。
【００１２】
前記サイフォン管の開口管部は、塵用副タンクと連繋する構成としてもよい。
【００１３】
前記固定蓋に蝶番で取付けた前記開閉蓋は、折畳み式か、巻取り式とし、コンパクトに収容可能としてもよい。
【００１４】
本考案の第２の観点に係る貯水タンク用のバケツは、
第１の観点に係る貯水タンク用のバケツであって、
前記開閉蓋の開放で形成された隙間に、挿入され、
開口部が、扁平形状に形成される。
【考案の効果】
【００１５】
請求項１の考案は、収れん形態の貯水タンクと、貯水タンクの上面に設けた固定蓋と、上面を開閉する蛇腹形態の開閉蓋と、収れん底部の中心に設けた排出口と、排出口の底部外側に設けた逆Ｕ字形のサイフォン管と、で構成した貯水タンクにおいて、サイフォン管の頂点管部を、貯水タンクの上面と面一に設けるとともに、サイフォン管を、貯水タンクの外側に設ける貯水タンクであり、貯水タンク内部に付帯設備を設けず、所謂、貯水タンク内を、空の状態とすることで、雨水流入用の容積確保を図り、緊急時とか、散水に有効な水量確保が可能となること、またサイフォン管の取付け位置を、底部中心の排出口に設けることで、分離促進と集塵効果を発揮できること、等の特徴がある。
【００１６】
請求項２の考案は、サイフォン管が、貯水タンクの底部外側に設けた水平管部と、水平管部より貯水タンクの上面より上に設けた本体管部と、貯水タンクの底部外側の下面に設けた開口管部と、で構成した貯水タンクであり、請求項１の効果を達成できることと、この効果達成に有効なサイフォン管の構造を提供できる。
【００１７】
請求項３の考案は、サイフォン管が、その全部を、貯水タンクの外側に設ける構成とした請求項１、又は請求項２に記載の貯水タンクであり、請求項１の効果を達成できることと、貯水タンクの容積確保に最適な構造を提供できる。
【００１８】
請求項４の考案は、サイフォン管の頂点管部に、外気を取込む細孔を開設する貯水タンクであり、請求項１の効果を達成できることと、この効果達成に有効なサイフォン管の構造を提供できる。
【００１９】
請求項５の考案は、サイフォン管の開口管部が、塵用副タンクと連繋する構成とした請求項２に記載の貯水タンクであり、請求項２の効果を達成できることと、この集塵した塵を確実に処理でき、かつ飛散防止が図れる構造を提供できる。
【００２０】
請求項６の考案は、固定蓋に蝶番で取付けた開閉蓋が、折畳み式か、巻取り式とし、コンパクトに収容可能とした貯水タンクであり、請求項１の効果を達成できることと、この効果を達成できる開閉蓋の構造を提供できる。
【００２１】
請求項７の考案は、開閉蓋の開放で形成された隙間に、挿入されるとともに、開口部が、扁平形状に形成される貯水タンク用のバケツであり、貯水タンクの清澄水を所定量掬えることと、請求項１に記載の緊急時とか、散水に有効な水量確保が可能となること、等の特徴と実益がある。
【図面の簡単な説明】
【００２２】
【図１】本考案の実施の形態に係る貯水タンクの全体を示した俯瞰図
【図２】貯水タンクの全体の断面図
【図３−１】貯水タンクの固定蓋と開閉蓋とを示した閉塞状態の平面図
【図３−２】貯水タンクの固定蓋と開閉蓋とを示した開放状態の平面図
【図４】貯水タンクにのみ使用するためのバケツの斜視図
【図５】貯水タンクに使用するためのヒシャクの斜視図
【考案を実施するための形態】
【００２３】
以下、本考案に係る貯水タンク１について、図１〜図５を用いて説明する。
【００２４】
本考案の好ましい、一実施例を説明すると、貯水タンク１は、ポリタンク、ＦＲＰタンク、鋼製タンクでなり、底部１００に向かって収れんされている。上面１０１の開口１ａには、この開口１ａの縁１０２をカバーできる大きさの固定蓋２と、固定蓋２に蝶番３を介して固定され、かつ固定蓋２と略同じ表面積を有する開閉蓋５とで構成されている。この開閉蓋５は、折畳み式か、巻取り式として簡易な開閉を可能とすること、開閉蓋５の開放（折畳み、又は巻取り）で形成された隙間６（開口部）を大きくすること、等にある。隙間６は、貯水タンク１の内周面１ｂと、固定蓋２の直線部２ａとで形成される半円形形状である。
【００２５】
貯水タンク１の収れん底部１００の中心１００ａには、塵排出用の排出口１０３を開設する。また、固定蓋２の直線部２ａの近傍には、雨水取込み用（雨水導入用）の流入口１０４を開設する。
【００２６】
排出口１０３の底部外側には、逆Ｕ字形のサイフォン管１０の水平管部１０ａが接続される。また、水平管部１０ａは、底部外側に沿うように配設され、自由端が貯水タンク１の縁１０２に到っている。この結果として、水平管部１０ａより立設した本体管部１０ｂが、貯水タンク１の外側に立設する。即ち、同型の貯水タンク１において、その内部１−１に最高の容積を確保し、サイフォン管１０は、貯水タンク１の内部１−１には、挿設されない構造とする。その目的は、前述した如く、雨水流入用の容積確保を図り、緊急時とか、散水に有効な水量確保ができる。また、本体管部１０ｂは逆Ｕ字形の主体の形状であり、中心の頂点管部１０ｂ１が、貯水タンク１の上面１０１と面一にあることで、該貯水タンク１の上面１０１一杯に雨水を取込むことができる。殊に、サイフォン管１０を介して、塵、及び／又は、雨水を外部に排出する時において有効である。本体管部１０ｂの下端端部には、開口管部１０ｃが接続されており、この本体管部１０ｂに導いた塵等を、確実に排水する構造としてある。尚、頂点管部１０ｂ１には、外気を取込む細孔１１が一個、又は複数個開設されている。この開口管部１０ｃの自由端部には、塵、及び／又は、雨水用の蓋を備えた副タンク１２を配備し、副タンク１２に塵の収集、及び／又は、雨水を溜める。また、この副タンク１２には、空気抜き孔を配備する。
【００２７】
尚、前記頂点管部１０ｂ１が、貯水タンク１の上面１０１と面一とは、頂点管部１０ｂ１の下側１０ｂ１１が、上面１０１の下で、頂点管部１０ｂ１の上側１０ｂ１２が、上面１０１の上側に有る。従って、貯水タンク１に雨水が導入されていき、この雨水の水位が、下側１０ｂ１１より超えたときに、この雨水が、サイフォン管１０の下側の水（呼水）となり（雨水が、順次、下側１０ｂ１１を超え）、同時にサイフォン管１０に雨水が流れるとともに、塵の排出を図る。また、上側１０ｂ１２が上面１０１の上に有ることで、雨水が上面１０１を超えることなく、かつ雨水が貯水タンク１をオーバーフローすることはない。また、この実施例では、雨水が、頂点管部１０ｂ１の略１／２を流れる構造として有り（上面１０１と、頂点管部１０ｂ１のとの位置関係である）、細孔１１からの外気の導入が妨げられず、サイフォン管１０での雨水の流れが保証される。また、細孔１１により、頂点管部１０ｂ１への空気の導入、及び／又は、貯水タンク１の水位調整等に利用できる。
【００２８】
サイフォン管１０に、雨水、及び／又は、塵を流すには、例えば、雨水等を呼水として利用することが、望ましい。前述の如く、貯水タンク１の水位が上がれば、自然と生ずることであり、考え方は、従来と同様である。
【００２９】
固定蓋２に設けた貯水タンク１の流入口１０４には、雨水導入管１３が接続される。
【００３０】
図中２０は貯水タンク１の清澄水を所定量掬えるバケツであり、開閉蓋５の隙間６に挿入できるように、扁平形状に形成されるとともに、嘴状の注ぎ口２０ａを一方のみか、この一方と、対峙する他方（双方）に設ける。簡便な方法として、円形のバケツ（図示しない）を扁平形状とすることも可能である。この形状であるが故に、隙間６への挿入と、水汲みができる。遠くへの散水等と、集中しての散水等に利用できる。また、図中２１は隙間６に挿入できるヒシャクである。
【００３１】
以下、本考案の使用方法の一例を説明すると、雨水は、導入管１３より、貯水タンク１の略中心より底部１００に導入され、順次、水面が上昇し、かつ貯水タンク１の内周面１ｂに向かって導入されることで、渦流が発生する。必要により、渦流発生手段、例えば、接線方向への流れを担持するための、ノズル（図示しない）を付設するか、導入管１３を接線方向に配備する。雨水の旋回流の流れを利用し、最終的には、上面１０１に到る。この旋回流の流れを利用して、貯水タンク１の上面１００の略中心に導入される。この導入時には、常時、旋回流が発生していることで、塵が底部１００の中心に収れんされる。殊に、貯水タンク１の外形が収れん形状であることと相俟って、塵の集塵が図れる。また、雨水の旋回流の流れを利用し、最終的には、上面１０１に到る。この旋回流の流れを利用して、比重分離の促進と、貯水タンク１の内部容積の拡充（同じ形態の貯水タンク「図示しない」に比しての拡充である。サイフォン管１０が外付けであることによる）による沈降分離の促進が図れる。
【００３２】
この塵の集塵と、雨水が上面１０１の水位まで達することで（サイフォン管１０の頂点管部１０ｂ１の下側１０ｂ１１を超えたときに）、雨水が呼水となり、雨水と塵が、排出口１０３より、サイフォン管１０に誘導されていき、かつ雨水が上面１０１よりオーバーフローすることが防止される。そして、このサイフォン管１０に到った、塵と雨水は、開口管部１０ｃより地中に排出されるか、又は副タンク１２に誘導される。
【００３３】
尚、上面１０１の清澄水（上澄み水）を掬い出し（汲み出し）使用するには、開閉蓋５を折畳み、隙間６を造り、この隙間６に挿入したバケツ２０、又はヒシャク２１を利用して汲み出し、散水等として利用する。この利用後は、開閉蓋５を戻して、閉める。
【００３４】
また、貯水タンク１の内周面１ｂはコールタールを塗布して、藻の発生と、虫の繁殖を無くすことが望ましい。
【００３５】
固定蓋２と、開閉蓋５は、上面１０１、及び／又は、縁１０２を完全に覆うように庇部（不図）を設けることで、貯水タンク１を直射日光より保護するとともに、貯水タンク１内の雨水の温度上昇の回避と、藻の発生回避等を図る。
【００３６】
図中２２はベースであり、貯水タンク１を、地面より離れて配置し、空間を形成するとともに、この空間には水平管部１０ａを配置する。
【００３７】
以上の一実施例、及び図面において説明した構造と効果等は、本考案の好ましい例を示したものである。従って、その他の実施例、及び図面において説明した構造等であっても、本考案と同様な効果と特徴を有する考案は、当然、本考案の範疇である。
【符号の説明】
【００３８】
１  貯水タンク
１−１  内部
１ａ  開口
１ｂ  内周面
１００  底部
１００ａ  中心
１０１  上面
１０２  縁
１０３  排出口
１０４  流入口
２  固定蓋
２ａ  直線部
３  蝶番
５  開閉蓋
６  隙間
１０  サイフォン管
１０ａ  水平管部
１０ｂ  本体管部
１０ｂ１  頂点管部
１０ｂ１１  下側
１０ｂ１２  上側
１０ｃ  開口管部
１１  細孔
１２  副タンク
１３  導入管
２０  バケツ
２０ａ  注ぎ口
２１  ヒシャク
２２  ベース
【図１】
0003198374.tif 000003
【図２】
0003198374.tif 000004
【図３−１】
0003198374.tif 000005
【図３−２】
0003198374.tif 000006
【図４】
0003198374.tif 000007
【図５】
0003198374.tif 000008
【手続補正書】
【提出日】平成27年4月24日(2015.4.24)
【手続補正１】
【補正対象書類名】実用新案登録請求の範囲
【補正対象項目名】全文
【補正方法】変更
【補正の内容】
【実用新案登録請求の範囲】
【請求項１】
収れん形態の貯水タンクと、この貯水タンクの上面に設けた固定蓋と、上面を開閉する
蛇腹形態の開閉蓋と、収れん底部の中心に設けた排出口と、この排出口の底部外側に設け
た逆Ｕ字形のサイフォン管と、で構成した貯水タンクにおいて、
このサイフォン管の頂点管部を、前記貯水タンクの上面と面一に設けるとともに、前記
サイフォン管を、この貯水タンクの外側に設けることを特徴とした貯水タンク。
【請求項２】
前記サイフォン管は、前記貯水タンクの底部外側に設けた水平管部と、この水平管部よ
りこの貯水タンクの上面より上に設けた本体管部と、当該貯水タンクの底部外側の下面に
設けた開口管部と、で構成した請求項１に記載の貯水タンク。
【請求項３】
前記サイフォン管は、その全部を、前記貯水タンクの外側に設ける構成とした請求項１
又は２に記載の貯水タンク。
【請求項４】
前記サイフォン管の頂点管部に、外気を取込む細孔を開設する構成とした請求項１に記
載の貯水タンク。
【請求項５】
前記サイフォン管の開口管部は、塵用副タンクと連繋する構成とした請求項２に記載の
貯水タンク。
【請求項６】
前記固定蓋に蝶番で取付けた前記開閉蓋は、折畳み式か、巻取り式とし、コンパクトに
収容可能とした請求項１に記載の貯水タンク。
【手続補正３】
【補正対象書類名】明細書
【補正対象項目名】０００１
【補正方法】変更
【補正の内容】
【０００１】
本考案は、雨水を貯水かつ濾過する貯水タンクに関する。
【手続補正４】
【補正対象書類名】明細書
【補正対象項目名】００１４
【補正方法】削除
【補正の内容】
【手続補正５】
【補正対象書類名】明細書
【補正対象項目名】００２１
【補正方法】削除
【補正の内容】